(57)【特許請求の範囲】
【請求項１】
複数の段階的な燃焼位置を有するボイラを備えたボイラ群を制御するプログラムであって、
前記ボイラは、
運転対象とされる運転対象ボイラと運転対象外とされる運転対象外ボイラのいずれかに設定されるとともに、前記運転対象ボイラと前記運転対象外ボイラの間で設定変更が可能とされ、
前記運転対象ボイラと運転対象外ボイラの間での設定変更が実行された場合に、
前記設定変更されたボイラを給蒸移行過程に移行するように構成されていることを特徴とするプログラム。
【請求項２】
請求項１に記載のプログラムであって、
前記ボイラ群は予め設定した優先順位に基づいて制御され、前記優先順位の変更にともなって前記設定変更を実行するように構成されていることを特徴とするプログラム。
【請求項３】
請求項１又は請求項２に記載のプログラムであって、
前記設定変更されたボイラを給蒸移行過程に移行する場合に、前記ボイラ群における要求負荷と対応する蒸発量を確保するように、給蒸移行過程に移行するボイラを選択するように構成されていることを特徴とするプログラム。
【請求項４】
請求項１から請求項３のいずれか１項に記載のプログラムであって、
運転対象から運転対象外に設定変更されたボイラを、給蒸移行過程に移行するように構成されていることを特徴とするプログラム。
【請求項５】
請求項１から請求項３のいずれか１項に記載のプログラムであって、
運転対象から運転対象外に設定変更されたボイラのうち燃焼しているボイラを、前記ボイラ群における要求負荷の減少にともなって給蒸移行過程に移行するように構成されていることを特徴とするプログラム。
【請求項６】
請求項４又は請求項５に記載のプログラムであって、
運転対象から運転対象外に設定変更された後、要求負荷の減少にともない給蒸移行過程に移行したボイラがある場合は、
前記ボイラ群における要求負荷の増加にともなって蒸発量を増加する際に、
前記給蒸移行過程にあるボイラを上位の燃焼位置に移行するように構成されていることを特徴とするプログラム。
【請求項７】
請求項１から請求項５のいずれか１項に記載のプログラムであって、
運転対象外から運転対象に設定変更されたボイラを、給蒸移行過程に移行するように構成されていることを特徴とするプログラム。
【請求項８】
請求項１から請求項３のいずれか１項に記載のプログラムであって、
運転対象外から運転対象に設定変更されたボイラが給蒸移行過程に移行されるとともに運転対象から運転対象外に設定変更されたボイラが給蒸移行過程に移行されている場合において、前記運転対象外から運転対象に設定変更されたボイラが給蒸可能となった場合は、前記運転対象から運転対象外に設定変更されたボイラを燃焼停止位置に移行するように構成されていることを特徴とするプログラム。
【請求項９】
請求項１から請求項８のいずれか１項に記載のプログラムを備えることを特徴とする制御器。
【請求項１０】
請求項９に記載の制御器を備えることを特徴とするボイラシステム。
【発明の詳細な説明】
【技術分野】
【０００１】
この発明は、複数のボイラからなるボイラ群を制御するためのプログラム、制御器及びボイラシステムに関する。
【背景技術】
【０００２】
従来、必要蒸発量に対して定格蒸発量が充分に大きなボイラ群を運転する際に燃焼効率を向上させる場合や、メンテナンスや故障等により使用できないボイラが存在する場合等、ボイラ群において一部のボイラを予備缶（運転対象外ボイラ）に設定して、ボイラ群を運転する場合がある。
【０００３】
一方、複数の段階的な燃焼位置を有するボイラを備えたボイラ群を制御する場合に、各ボイラに優先順位を設定し、要求負荷に変動が生じた場合に、各ボイラを、優先順位に従って制御する技術が開示されている（例えば、特許文献１参照。）。
【０００４】
また、ボイラ群において、燃焼停止位置にあるボイラを起動する場合に、この燃焼停止位置にあるボイラが給蒸するまでの間、既に給蒸しているボイラを一時的に上位の燃焼位置に移行してバックアップすることで、追従性を高める技術が開示されている（例えば、特許文献２参照。）。
【先行技術文献】
【特許文献】
【０００５】
【特許文献１】特開２００２−８１６０４号公報
【特許文献２】特開平１−２５６７０４号公報
【発明の概要】
【発明が解決しようとする課題】
【０００６】
しかしながら、いずれかのボイラにおいて運転対象外ボイラと運転対象ボイラとの間での設定変更がされた場合に、運転対象ボイラについては上位の燃焼位置に移行し、運転対象外ボイラについては燃焼停止位置に移行することにより、設定変更されたボイラの燃焼状態をスムースに切り換える必要がある。
【０００７】
また、好適には、設定変更されたボイラにおける上記燃焼状態の切換えをスムースに行なうことに加えて、運転対象外ボイラが上位の燃焼位置に移行するのを抑制しつつ、ボイラ群の応答性を効率的に確保したいという技術的要請がある。
【０００８】
本発明は、このような事情を考慮してなされたもので、複数のボイラからなるボイラ群において、運転対象外ボイラと運転対象ボイラの間で設定変更された場合に、設定変更されたボイラの燃焼状態をスムースに切り換えることが可能なプログラム、制御器及びボイラシステムを提供することを目的とする。
【課題を解決するための手段】
【０００９】
上記課題を解決するために、この発明は以下の手段を提案している。
請求項１に記載の発明は、複数の段階的な燃焼位置を有するボイラを備えたボイラ群を制御するためのプログラムであって、前記ボイラは、運転対象とされる運転対象ボイラと運転対象外とされる運転対象外ボイラのいずれかに設定されるとともに、前記運転対象ボイラと前記運転対象外ボイラの間で設定変更が可能とされ、前記運転対象ボイラと運転対象外ボイラの間での設定変更が実行された場合に、前記設定変更されたボイラを給蒸移行過程に移行するように構成されていることを特徴とする。
【００１０】
請求項９に記載の発明は、制御器であって、請求項１から請求項８のいずれか１項に記載のプログラムを備えることを特徴とする。
【００１１】
請求項１０に記載の発明は、ボイラシステムであって、請求項９に記載の制御器を備えることを特徴とする。
【００１２】
この発明に係るプログラム、制御器、ボイラシステムによれば、ボイラ群において、運転対象ボイラと運転対象外ボイラとの間で設定変更が実行された場合に、設定変更されたボイラを給蒸移行過程に移行するので、設定変更されたボイラの燃焼状態をスムースに切り換えることができる。
【００１３】
この明細書において、給蒸移行過程とは、燃焼停止位置において、例えば、パージ（微風パージを含む）、パイロット燃焼（連続パイロット燃焼を含む）状態にあるボイラが燃焼開始してから第１燃焼位置において給蒸するまでの過程、低燃焼に対応するバーナが燃焼開始してから第１燃焼位置において給蒸するまでの過程を指しており、以下の第１状態から第４状態に分類され、第１状態から第４状態の順に短時間で給蒸可能とされている。
第１状態：低燃焼位置にあり、給蒸していないが圧力を保持している状態
第２状態：低燃焼を解除後、パージ又はパイロット燃焼状態となり、給蒸していないが圧力を保持している状態
第３状態：燃焼停止位置から低燃焼位置に移行して水を加熱しているが圧力を保持していない状態（無圧状態）
第４状態：パージ又はパイロット燃焼状態であるが圧力を保持していない状態（無圧状態）
なお、第４状態には、第２状態から圧力低下して無圧状態となった場合と、燃焼停止位置においてパージ又はパイロット燃焼状態となり、無圧状態である場合を含む。
給蒸移行過程のうち、圧力保持状態にある第１状態、第２状態から第１燃焼位置への移行は、移行時間を短くするうえで好適である。
なお、連続パイロット燃焼状態とは、ガス焚きボイラにおいて、燃焼信号が出力されるとすぐに着火することができるように、未燃ガスが缶内に滞留させないために行なうパイロットバーナの連続燃焼状態をいう。
なお、微風パージとは、油焚きボイラにおいて、燃焼信号が出力されるとすぐに着火することができるように、未燃ガスが缶内に滞留させないために送風機回転数を減少させて微風量で送風状態を維持することをいう。
また、移行時間とは、他の燃焼位置又は燃焼停止位置への移行を指示する信号が出力されてから、指示された他の燃焼位置又は燃焼停止位置に移行して所定の蒸発量となるまでの時間をいう。
【００１４】
請求項２に記載の発明は、請求項１に記載のプログラムであって、前記ボイラ群は予め設定した優先順位に基づいて制御され、前記優先順位の変更にともなって前記設定変更を実行するように構成されていることを特徴とする。
【００１５】
この発明に係るプログラムによれば、ボイラ群は、所定のタイミングで実施するローテーション、又は他の手段によって、各ボイラに設定された優先順位を変更することにより、運転対象ボイラと運転対象外ボイラの間での設定変更を、容易かつ効率的に行なうことができる。
【００１６】
請求項３に記載の発明は、請求項１又は請求項２に記載のプログラムであって、前記設定変更されたボイラを給蒸移行過程に移行する場合に、前記ボイラ群における要求負荷と対応する蒸発量を確保するように、給蒸移行過程に移行するボイラを選択するように構成されていることを特徴とする。
【００１７】
この発明に係るプログラムによれば、設定変更されたボイラを給蒸移行過程に移行する場合に、給蒸移行過程に移行するボイラを、要求負荷と対応する蒸発量を確保するように選択するので、ボイラ群の負荷追従性を効率的に向上することができる。
【００１８】
請求項４に記載の発明は、請求項１から請求項３のいずれか１項に記載のプログラムであって、運転対象から運転対象外に設定変更されたボイラを、給蒸移行過程に移行するように構成されていることを特徴とする。
【００１９】
この発明に係るプログラムによれば、運転対象から運転対象外ボイラに設定変更されたボイラを給蒸移行過程に移行することにより、ボイラ群の負荷追従性を効率的に向上することができる。
【００２０】
請求項５に記載の発明は、請求項１から請求項３のいずれか１項に記載のプログラムであって、運転対象から運転対象外に設定変更されたボイラのうち燃焼しているボイラを、前記ボイラ群における要求負荷の減少にともなって給蒸移行過程に移行するように構成されていることを特徴とする。
【００２１】
この発明に係るプログラムによれば、運転対象から運転対象外に設定変更されたボイラを給蒸移行過程に移行するように構成されているので、要求負荷が減少する場合におけるボイラ群の負荷追従性を効率的に向上することができる。
【００２２】
請求項６に記載の発明は、請求項４又は請求項５に記載のプログラムであって、運転対象から運転対象外に設定変更された後、要求負荷の減少にともない給蒸移行過程に移行したボイラがある場合は、前記ボイラ群における要求負荷の増加にともなって蒸発量を増加する際に、前記給蒸移行過程にあるボイラを上位の燃焼位置に移行するように構成されていることを特徴とする。
【００２３】
この発明に係るプログラムによれば、給蒸移行過程に移行した運転対象外ボイラを上位の燃焼位置に移行してバックアップすることにより、ボイラ群の負荷追従性を向上することができる。
【００２４】
請求項７に記載の発明は、請求項１から請求項５のいずれか１項に記載のプログラムであって、運転対象外から運転対象に設定変更されたボイラを、給蒸移行過程に移行するように構成されていることを特徴とする。
【００２５】
この発明に係るプログラムによれば、運転対象外から運転対象に設定変更されたボイラを、給蒸移行過程に移行するので、ボイラ群の負荷追従性を向上することができる。
【００２６】
請求項８に記載の発明は、請求項１から請求項３のいずれか１項に記載のプログラムであって、運転対象外から運転対象に設定変更されたボイラが給蒸移行過程に移行されるとともに運転対象から運転対象外に設定変更されたボイラが給蒸移行過程に移行されている場合において、前記運転対象外から運転対象に設定変更されたボイラが給蒸可能となった場合は、前記運転対象から運転対象外に設定変更されたボイラを燃焼停止位置に移行するように構成されていることを特徴とする。
【００２７】
この発明に係るプログラムによれば、運転対象ボイラと運転対象外ボイラが、ともに給蒸移行過程にあり、運転対象ボイラが給蒸可能となった場合に、運転対象外ボイラを燃焼停止位置に移行するので、運転対象外ボイラと運転対象ボイラの間での切り換えをスムースに行なうことができる。
【発明の効果】
【００２８】
この発明に係るプログラム、制御器、ボイラシステムによれば、複数のボイラからなるボイラ群において、運転対象外ボイラと運転対象ボイラの間で設定変更された場合に、設定変更されたボイラの燃焼状態をスムースに切り換えることができる。
【図面の簡単な説明】
【００２９】
【図１】本発明の一実施形態に係るボイラシステムの概略を示す図である。
【図２】一実施形態に係るボイラ群を構成するボイラの概略を説明する図である。
【図３】一実施形態に係るプログラムの一例を説明するフロー図である。
【図４】一実施形態に係るボイラシステムの動作の一例を説明する概略図である。
【発明を実施するための形態】
【００３０】
以下、図１から図４を参照し、この発明の一実施形態について説明する。
図１は、本発明に係るボイラシステムの一実施形態を示す図であり、符号１はボイラシステムを示している。
【００３１】
ボイラシステム１は、複数のボイラから構成されるボイラ群２と、制御部（制御器）４と、スチームヘッダ６と、スチームヘッダ６に設けられた圧力センサ７とを備え、ボイラ群２で発生させた蒸気を蒸気使用設備１８に供給するようになっている。
この実施形態において、ボイラ群２は、例えば、第１ボイラ２１、第２ボイラ２２、第３ボイラ２３、第４ボイラ２４、第５ボイラ２５を備え、５台の蒸気ボイラから構成されている。
【００３２】
この実施形態における要求負荷は、圧力センサ７が検出するスチームヘッダ６内の蒸気の圧力（物理量）により代用されており、この圧力に基づいて蒸気使用設備１８の消費蒸気量と対応する蒸発量を算出するようになっている。
【００３３】
スチームヘッダ６は、第１ボイラ２１、・・・、第５ボイラ２５と蒸気管１１により接続されるとともに、蒸気使用設備１８と蒸気管１２により接続されており、ボイラ群２で発生させた蒸気を集合し、各ボイラ相互間の圧力差及び圧力変動を調整して蒸気使用設備１８に蒸気を供給するようになっている。
【００３４】
ボイラ群２を構成している各ボイラ２１、・・・、２５は、図２に示すように、例えば、三位置制御ボイラとされ、それぞれ燃焼停止状態（燃焼停止位置に対応）、最下位燃焼位置である低燃焼状態（第１燃焼位置に対応）、高燃焼状態（第２燃焼位置に対応）での燃焼が制御可能とされている。
【００３５】
ボイラ２１、２２は、第１差分蒸発量が５００（ｋｇ／ｈ）、第２差分蒸発量が１０００（ｋｇ／ｈ）に設定され、第２燃焼位置で燃焼した場合の蒸発量、すなわち定格蒸発量は１５００（ｋｇ／ｈ）とされている。
【００３６】
ボイラ２３、２４は、第１差分蒸発量が１０００（ｋｇ／ｈ）、第２差分蒸発量が２０００（ｋｇ／ｈ）に設定され、第２燃焼位置で燃焼した場合の蒸発量、すなわち定格蒸発量は３０００（ｋｇ／ｈ）とされている。
【００３７】
ボイラ２５は、第１差分蒸発量が６００（ｋｇ／ｈ）、第２差分蒸発量が１０００（ｋｇ／ｈ）に設定され、第２燃焼位置で燃焼した場合の蒸発量、すなわち定格蒸発量は１６００（ｋｇ／ｈ）とされている。
【００３８】
ここで、差分蒸発量とは、ボイラを一段階上位の燃焼位置に移行した場合に増加する蒸発量、すなわち、移行した後の燃焼位置の蒸発量と移行前の燃焼停止位置（又は燃焼位置）の蒸発量との差をいい、一段階上位に移行して第N燃焼位置（Nは、１以上の整数）となることで増加する蒸発量を、「第N燃焼位置の差分蒸発量」、又は「第N差分蒸発量」といい、例えば、燃焼停止位置から第１燃焼位置に移行した場合に増加する蒸発量を「第１燃焼位置の差分蒸発量」、又は「第１差分蒸発量」と、第１燃焼位置から第２燃焼位置に移行した場合に増加する蒸発量を「第２燃焼位置の差分蒸発量」、又は「第２差分蒸発量」という。
【００３９】
また、各ボイラ２１、・・・、２５における燃焼停止位置から最下位燃焼位置である第１燃焼位置に到達して給蒸されるまでの間を給蒸移行過程といい、給蒸移行過程は、以下の第１状態から第４状態（第１状態から第４状態の間はいずれかの状態に含むものとする）に分類することができる。
（１）第１状態：低燃焼位置にあり、給蒸していないが圧力を保持している状態
（２）第２状態：低燃焼を解除後、連続パイロット燃焼状態となり、給蒸していないが圧力を保持している状態
（３）第３状態：燃焼停止位置から低燃焼位置に移行して水を加熱しているが圧力は保持していない状態（無圧状態）
（４）第４状態：連続パイロット燃焼状態であるが圧力は保持していない状態（無圧状態）
【００４０】
この実施形態において、各ボイラ２１、・・・、２５は、燃焼停止位置、第１燃焼位置、給蒸移行過程の第１状態で維持されることが可能とされ、給蒸移行過程の第１状態から上位の燃焼位置（例えば、第１燃焼位置）に移行可能とされている。
また、各ボイラ２１、・・・、２５は、燃焼停止位置から給蒸移行過程（第１状態）への移行、又は上位の燃焼位置から給蒸移行過程（第１状態）への移行が可能とされている。
【００４１】
また、各ボイラ２１、・・・、２５は、図示しない圧力センサによりボイラ内の圧力を出力するようになっており、制御部４は、給蒸移行過程にあるボイラが有圧（ボイラ内の圧力が所定の設定値以上）である場合に、各ボイラ２１、・・・、２５は、短時間での給蒸が可能な給蒸可能状態と判断するようになっている。
【００４２】
また、制御部４は、各ボイラ２１、・・・、２５が、第１燃焼位置から給蒸移行状態に移行（Ｌ→Ｐ）され有圧である場合の給蒸移行可能な蒸発量ＪＫ１、及び燃焼停止位置から給蒸移行状態に移行（Ｓ→Ｐ）され有圧である場合の給蒸移行可能な蒸発量ＪＫ２を算出するようになっており、かかる場合、給蒸可能な蒸発量は、第１差分蒸発量をカウントするようになっている。
【００４３】
なお、各ボイラ２１、・・・、２５を、給蒸移行過程に移行する場合、第１状態以外の各状態に移行、維持する構成としてもよく、この場合、第１燃焼位置への移行時間が短くなる点で、有圧の第１状態、第２状態が好適である。
また、上位の燃焼位置から給蒸移行過程に移行する場合、第１燃焼位置よりも上位の燃焼位置から給蒸移行過程に移行するように構成してもよい。
【００４４】
また、要求負荷に応じて、各ボイラ２１、・・・、２５は、周知の燃焼位置制御技術により燃焼位置又は燃焼停止位置を制御可能とされており、例えば、スチームヘッダ６の圧力が高くなった場合には蒸発量を減少させ、圧力が低くなった場合には蒸発量を増加させるようになっている。
【００４５】
制御部４は、入力部４１と、メモリ４２と、演算部４３と、ハードディスク４４と、出力部４６と、通信線４７とを備え、入力部４１、メモリ４２、演算部４３、ハードディスク４４、出力部４６は通信線４７により相互にデータ等を通信可能に接続され、ハードディスク４４にはデータベース４５が格納されている。
【００４６】
入力部４１は、例えば、図示しないキーボード等のデータ入力機器を有していて設定等を演算部４３に出力可能とされるとともに、圧力センサ７、各ボイラ２１、・・・、２５と信号線１３、信号線１６により接続され、圧力センサ７から入力された圧力信号及び各ボイラ２１、・・・、２５から入力された信号（例えば、燃焼位置等の情報）を演算部４３に出力するようになっている。
出力部４６は、各ボイラ２１、・・・、２５と信号線１４により接続され、演算部４３から出力された制御信号を各ボイラ２１、・・・、２５に出力するようになっている。
【００４７】
演算部４３は、メモリ４２の記憶媒体（例えば、ＲＯＭ）に格納されたプログラムを読み込んで実行し、例えば、要求負荷に対応する蒸発量の算出、入力部４１から入力された各ボイラの運転状態に関する情報等に基づいて、各ボイラ２１、・・・、２５に関して、燃焼位置又は燃焼停止位置の移行の要否判断、燃焼位置又は燃焼停止位置の選択、給蒸移行過程への移行の要否判断、その結果に基づいて出力部４６を介して各ボイラ２１、・・・、２５への信号を出力するようになっている。
【００４８】
データベース４５は、第１のデータベース４５Ａと、第２のデータベース４５Ｂとを備えている。
第１のデータベース４５Ａは、圧力信号（ｍＶ）と圧力（Ｐａ）との関係を示すデータテーブルが数値データとして格納されており、演算部４３は、第１のデータベース４５Ａを参照して、圧力センサ７からの圧力信号（ｍＶ）に基づいてスチームヘッダ６内の圧力（Ｐａ）を算出するようになっている。
【００４９】
また、第２のデータベース４５Ｂは、例えば、各ボイラ２１、・・・、２５の第１差分蒸発量、第２差分蒸発量、定格蒸発量がデータテーブルの形式で格納されており、演算部４３が第２のデータベース４５Ｂを参照することにより、各ボイラ２１、・・・、２５が、第１燃焼位置から給蒸移行状態に移行（Ｌ→Ｐ）され有圧である場合の給蒸移行可能な蒸発量ＪＫ１、燃焼停止位置から給蒸移行状態に移行（Ｓ→Ｐ）され有圧である場合の給蒸移行可能な蒸発量ＪＫ２、各ボイラ２１、・・・、２５の燃焼指示が出されている蒸発量を合計した総蒸発量ＪＲを算出するようになっている。
【００５０】
一実施形態に係るプログラムは、圧力センサ７が検出したスチームヘッダ６の圧力に基づいて、要求負荷に応じた必要蒸発量ＪＮを算出し、ボイラ群２の総蒸発量ＪＲが必要蒸発量ＪＮを満足するように、予め設定された優先順位に従って、各ボイラ２１、・・・、２５が移行するべき燃焼位置、燃焼停止位置、又は給蒸移行過程に移行するボイラを選択するようになっている。
【００５１】
プログラムは、例えば、図３に示すフロー図のような概略構成とされている。
なお、プログラムにおける、圧力センサ７の圧力信号に基づく燃焼位置又は燃焼停止位置の移行については、上述のように周知の燃焼位置制御技術によるものとし、説明を省略する。
【００５２】
以下、図３を参照して、プログラムの一例に係るフロー図について説明する。
（１）まず、ボイラ群２の要求負荷と対応する必要蒸発量ＪＮ、ボイラ群２の各ボイラ２１、・・・、２５の燃焼指示が出されている蒸発量を合計した総蒸発量ＪＲ、第１燃焼位置から給蒸移行状態に移行（Ｌ→Ｐ）され有圧である場合の給蒸移行可能な蒸発量ＪＫ１、燃焼停止位置から給蒸移行状態に移行（Ｓ→Ｐ）され有圧である場合の給蒸移行可能な蒸発量ＪＫ２に、それぞれ初期値（＝０）を設定する（Ｓ１）。
（２）ボイラ群２が運転中かどうかを判断する（Ｓ２）。
ボイラ群２が運転中の場合にはＳ３に移行し、運転が停止している場合にはプログラムを終了する。
（３）演算部４３は、例えば、図示しないカウンタからの信号に基づいて、優先順位を変更するタイミングであるかどうかを判断する（Ｓ３）。
優先順位を変更するタイミングである場合にはＳ４に移行し、優先順位を変更するタイミングでない場合にはＳ６に移行する。
（４）演算部４３は、予め設定された手順（例えば、ローテーション等）に基づき、優先順位を変更する（Ｓ４）。
（５）演算部４３は、運転対象外から運転対象に設定変更されたボイラを、給蒸移行過程に移行する信号を出力し、Ｓ６に移行する（Ｓ５）。
（６）演算部４３は、運転対象外から運転対象に設定変更された後に給蒸移行過程（Ｓ→Ｐ）とされたボイラの中に、新たに有圧となったボイラがあるかどうかを判断する（Ｓ６）。
新たに有圧となったボイラがある場合にはＳ７に移行し、新たに有圧となったボイラがない場合にはＳ９に移行する。
（７）演算部４３は、入力部４１を介して入力される各ボイラ２１、・・・、２５内の圧力に基づいて、燃焼停止位置から給蒸移行状態に移行（Ｓ→Ｐ）され有圧である場合の給蒸移行可能な蒸発量ＪＫ２を算出する（Ｓ７）。
（８）演算部４３は、
第１燃焼位置から給蒸移行状態に移行（Ｌ→Ｐ）され有圧である場合の給蒸移行可能な蒸発量ＪＫ１  ≧  燃焼停止位置から給蒸移行状態に移行（Ｓ→Ｐ）され有圧である場合の給蒸移行可能な蒸発量ＪＫ２
が、維持される範囲で、運転対象から運転対象外に設定変更された後、第１燃焼位置から給蒸移行過程に移行されたボイラを、燃焼停止位置に移行する信号を出力する（Ｓ８）。
（９）演算部４３は、入力部４１を介して取得した圧力センサ７の圧力信号に基づいて、必要蒸発量ＪＮを算出する（Ｓ９）。
（１０）演算部４３は、Ｓ９において算出した必要蒸発量ＪＮを、メモリ４２に格納された必要蒸発量ＪＮと比較して、必要蒸発量ＪＮに所定値以上の変動があるかどうかを判断する（Ｓ１０）。また、Ｓ９において算出した必要蒸発量ＪＮをメモリ４２に格納する。
必要蒸発量ＪＮに所定以上の変動がある場合はＳ１１に移行し、ない場合はＳ２に移行する。ここで、必要蒸発量ＪＮに係る所定量は、任意に設定可能であり、例えば、１００（ｋｇ／ｈ）とされている。
（１１）演算部４３は、必要蒸発量ＪＮの変動が、増加かどうかを判断する（Ｓ１１）。
必要蒸発量ＪＮの変動が、増加である場合はＳ１２に移行し、増加ではなく減少である場合はＳ２２に移行する。
（１２）演算部４３は、必要蒸発量ＪＮとボイラ群２の総蒸発量ＪＲとを比較する（Ｓ１２）。
必要蒸発量ＪＮ＞総蒸発量ＪＲである場合はＳ１３に移行し、必要蒸発量ＪＮ≦総蒸発量ＪＲである場合はＳ２に移行する。
（１３）演算部４３は、演算部４３は、運転対象外から運転対象に設定変更されたボイラの中に、給蒸可能（有圧）なボイラがあるかどうかを判断する（Ｓ１３）。
給蒸可能なボイラがある場合にはＳ１４に移行し、給蒸可能なボイラがない場合にはＳ１８に移行する。
（１４）演算部４３は、各ボイラ２１、・・・、２５を上位の燃焼位置に移行した場合に、ボイラ群２が、必要蒸発量ＪＮ≦総蒸発量ＪＲを満足するための最小限の給蒸可能な蒸発量を得るために必要なボイラを、優先順位に従ってリストアップする（Ｓ１４）。
（１５）Ｓ１４においてリストアップしたボイラを給蒸（第１燃焼位置に移行）する信号を出力する（Ｓ１５）。
（１６）演算部４３は、入力部４１を介して取得した各ボイラ２１、・・・、２５の圧力からＳ１５において第１燃焼位置に移行する信号を出力したボイラの給蒸可能な蒸発量を減算して、燃焼停止位置から給蒸移行状態に移行（Ｓ→Ｐ）され有圧である場合の給蒸移行可能な蒸発量ＪＫ２を新たに算出する（Ｓ１６）。
（１７）演算部４３は、必要蒸発量ＪＮと、Ｓ１５において第１燃焼位置に移行する信号を出力したボイラの給蒸可能な蒸発量を加算して得たボイラ群２の給蒸後の総蒸発量ＪＲとを比較する（Ｓ１７）。
必要蒸発量ＪＮ≦総蒸発量ＪＲである場合はＳ２１に移行し、必要蒸発量ＪＮ＞総蒸発量ＪＲである場合はＳ１８に移行する。
（１８）演算部４３は、上位に移行可能な燃焼位置の有無を判断する（Ｓ１８）。
上位に移行可能な燃焼位置がある場合にはＳ１９に移行し、上位に移行可能な燃焼位置がない場合にはＳ２に移行する。
（１９）演算部４３は、必要蒸発量ＪＮ≦総蒸発量ＪＲを満足するための最小限の差分蒸発量を得るために必要な燃焼位置を、優先順位に従ってリストアップする（Ｓ１９）。
（２０）Ｓ１９においてリストアップしたボイラを上位の燃焼位置に移行する信号を出力する（Ｓ２０）。
（２１）演算部４３は、上位の燃焼位置に移行する信号を出力した後のボイラ群２の総蒸発量ＪＲを算出する（Ｓ２１）。
（２２）演算部４３は、必要蒸発量ＪＮ≦総蒸発量ＪＲを満足しているかどうかを判断する（Ｓ２２）。
必要蒸発量ＪＮ≦総蒸発量ＪＲを満足していない場合にはＳ２３に移行し、満足している場合はＳ２に移行する。
（２３）演算部４３は、必要蒸発量ＪＮ≦総蒸発量ＪＲを満足し、燃焼を解除して下位に移行させることが可能な燃焼位置の有無を判断する（Ｓ２３）。
燃焼を解除して下位に移行させることが可能な燃焼位置がある場合にはＳ２４に移行し、存在しない場合はＳ２に移行する。
（２４）演算部４３は、燃焼解除可能とされ、優先順位が最下位の燃焼位置を、優先順位に従って選択する（Ｓ２４）。
（２５）演算部４３は、Ｓ２４において選択した燃焼位置が、運転対象から運転対象外に設定変更されたボイラに係るものであるかどうかを判断する（Ｓ２５）。
運転対象から運転対象外に設定変更されたボイラに係るものでない場合にはＳ２６に移行し、運転対象から運転対象外に設定変更されたボイラに係るものである場合にはＳ２８に移行する。
（２６）演算部４３は、Ｓ２４において選択した燃焼位置に燃焼を解除する信号を出力する（Ｓ２６）。
（２７）演算部４３は、Ｓ２６において燃焼解除した後、又はＳ２８において給蒸移行過程に移行（Ｌ→Ｐ）する信号を出力した後のボイラ群２の総蒸発量ＪＲを算出し、Ｓ２２に移行する（Ｓ２７）。
（２８）演算部４３は、Ｓ２４において選択したボイラを給蒸移行過程の第１状態（Ｌ→Ｐ）に移行する信号を出力する（Ｓ２８）。
（２９）演算部４３は、第１燃焼位置から給蒸移行状態に移行（Ｌ→Ｐ）され有圧である場合の給蒸移行可能な蒸発量ＪＫ１を算出して、Ｓ２７に移行する（Ｓ２９）。
上記（２）から（２９）を繰り返して実行する。
【００５３】
次に、図４を参照して、ボイラシステム１の作用について説明する。
図４は、プログラムを用いてボイラ群２を制御する場合の各ボイラ２１、・・・、２５の状態を示す概略図であり、四角枠は各ボイラ２１、・・・、２５の第１燃焼位置、第２燃焼位置の燃焼状態を、各枠内に示した数値は、各燃焼位置における第１差分蒸発量及び第２差分蒸発量を示している。
【００５４】
また、図４において、斜線で示した燃焼位置は給蒸中の燃焼位置を表し、網かけを施して「Ｌ→Ｐ」を記したボイラは第１燃焼位置から給蒸移行過程（第１状態）に移行する指示が出力され有圧のボイラを表し、網かけを施して「Ｓ→Ｐ」を記したボイラは燃焼停止位置から給蒸移行過程（第１状態）に移行する指示が出力されて有圧に到達したボイラを表し、網かけを施して「Ｓ→Ｐ」と「（設定圧力未満」を記した燃焼位置は燃焼停止位置から給蒸移行過程（第１状態）に移行する指示が出力された後、有圧に到達していないために給蒸可能ではないボイラを表している。また、「Ｐ→Ｓ」を記したボイラは給蒸移行過程から燃焼停止位置に移行する指示が出力されたボイラを表している。
また、「（予備缶）」と記載されたボイラは、運転対象外ボイラであることを表している。
また、各ボイラ２１、・・・、２５を表す枠の上側に記載した（  ）内の数字は、各ボイラ２１、・・・、２５の優先順位を示している。
【００５５】
また、便宜のため、図４（Ａ）に示すように、第１ボイラ２１、第２ボイラ２２、第３ボイラ２３が第１燃焼位置で給蒸し、第４ボイラ２４、第５ボイラ２５が燃焼停止位置にある場合を例に説明する。また、図４（Ａ）における各ボイラ２１、・・・、２５の優先順位は、この順番に設定され、第１ボイラ２１から第４ボイラ２４が運転対象ボイラとされ、第５ボイラ２５が運転対象外ボイラとされている。
【００５６】
（１）まず、図４（Ａ）は、上述のように、第１ボイラ２１、第２ボイラ２２、第３ボイラ２３が第１燃焼位置で給蒸し、第４ボイラ２４、第５ボイラ２５が燃焼停止位置にあることを示している。
ここで、便宜のため、必要蒸発量＝ＪＮ２０００（ｋｇ／ｈ）、総蒸発量＝ＪＲ２０００（ｋｇ／ｈ）とし、必要蒸発量ＪＮと総蒸発量ＪＲは等しいものとする。
（２）次に、ボイラ群２が運転中とされて、優先順位変更タイミングになったものとする。
演算部４３は、ボイラ群２が運転中であることを判断（Ｓ２）してＳ３に移行し、Ｓ３を実行することにより優先順位変更タイミングであると判断し、Ｓ４に移行する。次に、優先順位を変更する信号を出力（Ｓ４）して、Ｓ５に移行する。
その結果、図４（Ｂ）に示すように、各ボイラ２１、・・・、２５の優先順位が、第５ボイラ２５から第１ボイラ２１の順番に入れ換わるとともに、第１ボイラ２１が運転対象外ボイラ、第２ボイラ２２から第５ボイラ２５が運転対象ボイラとなる。
（３）演算部４３は、運転対象外から運転対象に設定変更された第５ボイラ２５を、給蒸移行過程（Ｓ→Ｐ）に移行する信号を出力し、Ｓ６に移行する（Ｓ５）。
その結果、図４（Ｃ）に示すように、各ボイラ２５が燃焼開始し、燃焼停止位置から給蒸移行過程の第１状態に移行する。
（４）次に、演算部４３は、各ボイラ２１、・・・、２５から入力部４１を介して入力された信号に基づき、既に運転対象外から運転対象に設定変更された後に給蒸移行過程にあるボイラが存在する場合に、この給蒸移行過程にあるボイラのなかに、ボイラ内の圧力が設定圧力まで上昇して新たに給蒸可能となったボイラがあるかどうか判断する（Ｓ６）。
その結果、図４（Ｃ）に示すように、ボイラ群２に、運転対象外から運転対象に設定変更され、給蒸移行過程に移行（Ｓ→Ｐ）された後に有圧に到達したボイラは存在しないので、演算部４３は、Ｓ９に移行する（Ｓ６）。
（５）演算部４３は、Ｓ９において必要蒸発量ＪＮを算出し、メモリ４２に格納された必要蒸発量ＪＮ（＝２０００（ｋｇ／ｈ））と比較して、必要蒸発量ＪＮに所定値（例えば、例えば、１００（ｋｇ／ｈ））以上の変動があるかどうか判断する（Ｓ１０）。
その結果、演算部４３は、必要蒸発量ＪＮに変動がないものと判断（Ｓ１０）し、Ｓ２に移行する。
（６）次いで、演算部４３は、Ｓ２、Ｓ３、Ｓ６を実行する。
このとき、ボイラ群２は、優先順位変更タイミングにはなく、給蒸移行過程にあるボイラは存在しないが、ボイラ群２における要求負荷が、例えば、１４００（ｋｇ／ｈ）に減少したものとする。その結果、演算部４３は、Ｓ６を実行した後に、Ｓ９に移行する（Ｓ６）。
（７）演算部４３は、Ｓ９において必要蒸発量ＪＮを算出し、メモリ４２に格納された必要蒸発量ＪＮ（＝２０００（ｋｇ／ｈ））と比較して、必要蒸発量ＪＮに所定値以上の変動があると判断（Ｓ１０）し、Ｓ１１に移行する。
（８）演算部４３は、必要蒸発量ＪＮの変動が、減少と判断（Ｓ１１）してＳ２２に移行する。
（９）演算部４３は、Ｓ２２、Ｓ２３を実行して、必要蒸発量ＪＮ（＝１４００（ｋｇ／ｈ）≦総蒸発量ＪＲ（＝２０００（ｋｇ／ｈ）を満足しつつ、燃焼を解除して下位に移行させることが可能な燃焼位置の有無を判断する（Ｓ２３）。
必要蒸発量ＪＮ≦総蒸発量ＪＲを満足しつつ、燃焼を解除して下位に移行させることが可能な燃焼位置として第１ボイラ２１の第１燃焼位置、第２ボイラ２２の第１燃焼位置、第３ボイラ２３の第１燃焼位置があると判断（Ｓ２３）し、Ｓ２４に移行する。
（１０）演算部４３は、燃焼解除可能とされ、優先順位が最下位の燃焼位置として、優先順位に従って、第１ボイラ２１の第１燃焼位置（６００（ｋｇ／ｈ））を選択する（Ｓ２４）。
（１１）演算部４３は、Ｓ２３において選択した第１ボイラ２１の第１燃焼位置が、運転対象から運転対象外に設定変更されたボイラに係るものであることを判断する（Ｓ２５）し、Ｓ２８に移行する。
（１２）演算部４３は、Ｓ２４において選択した第１ボイラ２１を給蒸移行過程の第１状態（Ｌ→Ｐ）に移行する信号を出力する（Ｓ２８）。
（１３）演算部４３は、第１燃焼位置から給蒸移行過程に移行されて有圧である第１ボイラ２１の給蒸可能な蒸発量ＪＫ１（＝５００（ｋｇ／ｈ））を算出して、Ｓ２７に移行する（Ｓ２９）。
（１４）演算部４３は、燃焼解除した後、又は給蒸移行過程に移行（Ｌ→Ｐ）する信号を出力した後のボイラ群２の総蒸発量ＪＲを算出し、Ｓ２２に移行する（Ｓ２７）。
ここで、ボイラ群２の総蒸発量ＪＲは１４００（ｋｇ／ｈ）である。
（１５）演算部４３は、必要蒸発量ＪＮ（＝１４００（ｋｇ／ｈ））≦総蒸発量ＪＲ（＝１４００（ｋｇ／ｈ））を満足しているかどうかを判断する（Ｓ２２）。
必要蒸発量ＪＮ≦総蒸発量ＪＲを満足しているので、Ｓ２に移行する。
その結果、図４（Ｄ）に示すように、第１ボイラ２１が第１燃焼位置から給蒸移行過程の第１状態に移行（Ｌ→Ｐ）する。
なお、図４（Ｄ）では、第５ボイラ２５は有圧ではなく、設定圧未満であるものとする。
（１６）次いで、演算部４３は、Ｓ２、Ｓ３を実行する。
このとき、ボイラ群２は、優先順位変更タイミングにはなく、ボイラ群２における要求負荷は、１４００（ｋｇ／ｈ）に維持されたものとし、Ｓ３を実行した後にＳ６に移行する。
（１７）ここで、給蒸移行過程にある第５ボイラ２５の圧力が、給蒸移行過程における第１状態の設定圧力まで上昇して有圧になったものとする。
演算部４３は、運転対象外から運転対象に設定変更された後に給蒸移行過程とされた第５ボイラ２５が、新たに有圧となったと判断（Ｓ６）し、Ｓ７に移行する。
（１８）演算部４３は、入力部４１を介して入力される各ボイラ２１、・・・、２５内の圧力に基づいて、燃焼停止位置から給蒸移行過程に移行された第５ボイラ２５の給蒸可能な蒸発量ＪＫ２（＝６００（ｋｇ／ｈ））を算出する（Ｓ７）。
（１９）演算部４３は、第１ボイラ２１の給蒸移行可能な蒸発量ＪＫ１（＝１０００（ｋｇ／ｈ））  ≧  第５ボイラ２５の給蒸移行可能な蒸発量ＪＫ２（＝６００（ｋｇ／ｈ））が維持される範囲で、運転対象から運転対象外に設定変更された後、第１燃焼位置から給蒸移行過程に移行された第１ボイラ２１に、燃焼停止位置に移行する信号（Ｐ→Ｓ）を出力する（Ｓ８）。
その結果、図４（Ｅ）に示すように、第１ボイラ２１が給蒸移行過程の第１状態から燃焼停止位置に移行（Ｐ→Ｓ）する。
【００５７】
上記実施形態に係るボイラシステム１によれば、ボイラ群２において、設定変更されたボイラを給蒸移行過程に移行するので、設定変更されたボイラの燃焼状態をスムースに切り換えることができる。
【００５８】
また、ボイラ群２が、予め各ボイラ２１、・・・、２５に設定した優先順位を変更することにより、運転対象ボイラと運転対象外ボイラとの間での設定変更をするように構成されているので、設定変更を容易かつ効率的に行なうことができる。
【００５９】
また、要求負荷と対応する必要蒸発量ＪＮを満足する総蒸発量ＪＲを確保するように、設定変更されたボイラを給蒸移行過程に移行するので、ボイラ群２の負荷追従性を効率的に向上することができる。
【００６０】
また、運転対象外ボイラを、要求負荷が減少する場合に、給蒸移行過程に移行するので、ボイラ群２の負荷追従性を効率的に向上することができる。
また、給蒸移行過程に移行された運転対象外ボイラを、運転対象ボイラが給蒸可能となった場合に燃焼停止位置に移行するので、運転対象外ボイラをスムースに燃焼停止位置に移行することができる。
その結果、運転対象外ボイラと運転対象ボイラの間での切り換えをスムースに行なうことができる。
【００６１】
また、給蒸移行過程に移行され、給蒸状態に到達していない運転対象ボイラが存在する場合に、給蒸移行過程に移行した運転対象外ボイラを上位の燃焼位置に移行してバックアップすることにより、ボイラ群の負荷追従性を向上することができる。
【００６２】
なお、本発明は、上記実施の形態に限定されるものではなく、発明の趣旨を逸脱しない範囲において、種々の変更をすることが可能である。
例えば、上記実施の形態においては、ボイラシステム１を構成するボイラ群２が、５台の三位置制御ボイラから構成される場合について説明したが、ボイラ群２を形成するボイラの構成、及びボイラの台数は任意に設定可能であり、例えば、四位置制御ボイラや、それ以上の燃焼位置を有するボイラを用いてもよいし、燃焼位置数や、蒸発量等の構成が異なるボイラを組み合わせてボイラ群を構成してもよいことはいうまでもない。
また、ボイラ群２を構成するボイラの一部が、故障、修理等により計画停止されている場合に稼動可能な一部のボイラを対象として燃焼制御してもよい。
【００６３】
また、上記実施の形態においては、第１燃焼位置にある運転対象外ボイラが、第１燃焼位置から給蒸移行過程に移行する場合について説明したが、例えば、第１燃焼位置よりも上位の燃焼位置にある運転対象外ボイラを給蒸移行過程に移行可能な構成としてもよい。
【００６４】
また、上記実施の形態においては、設定変更されたボイラを給蒸移行過程の第１状態に移行する場合について説明したが、第１状態、第２状態、第３状態、第４状態のうち、任意の状態に設定してもよい。
また、運転対象外ボイラが給蒸移行過程に移行される移行後の状態と、運転対象ボイラが給蒸移行過程に移行される移行後の状態を、異なる状態に設定してもよい。
【００６５】
また、上記実施の形態においては、ボイラ群２の必要蒸発量ＪＮを満足する総蒸発量ＪＲを確保するように、給蒸移行過程に移行するボイラ、各ボイラ２１、・・・、２５の燃焼位置又は燃焼停止位置を選択する場合について説明したが、総蒸発量ＪＲが必要蒸発量ＪＮを下廻ってもよいし、必要蒸発量ＪＮに対して所定範囲内となるように構成してもよい。
【００６６】
また、総蒸発量ＪＲを考慮することなく、給蒸移行過程に移行するボイラ、各ボイラ２１、・・・、２５の燃焼位置又は燃焼停止位置を選択してもよい。
すなわち、上記実施の形態においては、運転対象外から設定変更された運転対象ボイラが給蒸移行過程に移行後、必要蒸発量ＪＮが減少した場合に、運転対象から設定変更された運転対象外ボイラが給蒸移行過程に移行する例について説明したが、運転対象から設定変更された運転対象外ボイラを、必要蒸発量ＪＮが減少していない状況や、総蒸発量ＪＲが必要蒸発量ＪＮを下廻る状況で、給蒸移行過程に移行してもよい。
また、上記必要蒸発量ＪＮが減少した場合に、運転対象から設定変更された運転対象外ボイラを燃焼停止位置に移行するように構成してもよい。
また、必要蒸発量ＪＮと総蒸発量ＪＲに代えて、例えば、圧力等、蒸発量に対応する他の物理量に基づいてボイラ群２を制御してもよい。
【００６７】
また、上記実施の形態においては、運転対象ボイラと運転対象外ボイラの間での設定変更を、例えば、所定のタイミングで、各ボイラ２１、・・・、２５をローテーションすることによる優先順位の変更により行なう場合について説明したが、所定タイミングにおけるローテーションに代えて、例えば、全ブローを実施したボイラの優先順位の変更や、ボイラ障害復旧時に伴う優先順位の変更を行なうことにより、運転対象ボイラと運転対象外ボイラの間での設定変更を実施してもよい。
【００６８】
また、上記実施の形態においては、運転対象ボイラと運転対象外ボイラの台数が一定である場合について説明したが、ボイラ群２における運転対象外ボイラの台数を変更可能な構成にしてもよい。
【００６９】
また、上記実施の形態においては、運転対象から設定変更された運転対象外ボイラが、第１燃焼位置から給蒸移行過程に移行される場合について説明したが、例えば、給蒸のために燃焼していた運転対象ボイラや、給蒸移行過程（有圧）において燃焼していた運転対象ボイラが、燃焼解除されて燃焼停止位置に移行した直後に運転対象から設定変更された運転対象外ボイラが存在するような場合に、この運転対象から設定変更された運転対象外ボイラを給蒸移行過程に移行する構成としてもよい。
かかる構成により、運転対象から設定変更された運転対象外ボイラを短時間で給蒸移行過程（有圧）にして負荷追従性を向上することができる。
【００７０】
また、この発明に係るプログラムの概略構成の一例を、図３にフロー図として示したが、上記フロー図以外の方法（アルゴリズム）を用いてプログラムを構成してもよいことはいうまでもない。
【００７１】
また、上記実施の形態においては、プログラムを格納するための記憶媒体がＲＯＭである場合について説明したが、ＲＯＭ以外にも、例えば、EP−ROM、 ハードディスク、フレキシブルディスク、光ディスク、光磁気ディスク、ＣＤ−ＲＯＭ、ＣＤ−Ｒ、磁気テープ、不揮発性のメモリカードなどを用いてもよい。また、演算部が読出したプログラムを実行することにより上記実施形態の作用が実現されるだけでなく、そのプログラムの指示に基づき、演算部で稼働しているＯＳ（オペレーティングシステム）などが実際の処理の一部または全部を行い、その処理によって上記実施形態の作用が実現される場合も含まれる。さらに、記憶媒体から読出されたプログラムが、演算部に挿入された機能拡張ボードや演算部に接続された機能拡張ユニットに備わるメモリに書込まれた後、そのプログラムの指示に基づき、その機能拡張ボードや機能拡張ユニットに備わるＣＰＵなどが実際の処理の一部または全部を行い、その処理によって前述した実施形態の作用が実現される場合も含まれることはいうまでもない。
【産業上の利用可能性】
【００７２】
運転対象外に設定されたボイラと運転対象に設定されたボイラとの間で設定変更可能とされたボイラ群において、応答性を確保しつつスムースに運転することが可能であるので、産業上利用可能である。
【符号の説明】
【００７３】
１  ボイラシステム
２  ボイラ群
４  制御部（制御器）
２１、２２、２３、２４、２５  ボイラ
【図１】
0005434728.tif 000002
【図２】
0005434728.tif 000003
【図３】
0005434728.tif 000004
【図４】
0005434728.tif 000005